(57)【要約】      （修正有）【課題】目だけでは判断しにくいゴルフボールの位置からカップまでの傾斜角度を的確に測ることができ、それによりパッティングの判断ができ、ゴルフボールをカップに入れる基準をより正確に定める。【解決手段】円盤状の中空構造の台座１と、その底に適当な長さの挿し込み脚１１がついており、挿し込み脚１１の先端は球状の蓋が設けられた開け口１１１が設けられており、円盤状の台座１の表面は透明で中が透けて見えるようになっており、挿し込み脚の先端から液体を注ぎ入れ、球状の蓋で密封すると気泡が形成される構造を持った傾斜角度測定装置であり、実際にゴルフをする際、地面に差し込み、透明な台座の気泡２１の位置を確認することで、ゴルフボールの位置からカップまでの傾斜角度を的確に測る。【選択図】図２
0003133295.tif 000002
【実用新案登録請求の範囲】
【請求項１】
円盤状で中空構造の台座と、
台座の底に付いている適当な長さの挿し込み脚からなり、
挿し込み脚の先端は開け口が設けられており、
円盤状の台座の表面は透明で中が透けて見えるようになっており、
挿し込み脚の先端から液体を注ぎ入れ満タンにし蓋を閉めて密閉し、
液体の中に気泡が形成され、
これらの構造を持つゴルフ用傾斜角度測定装置。
【請求項２】
台座に液体を入れた後、挿し込み脚の先端の開け口を閉じる球状の蓋により密閉し液体が外に漏れるのを防ぐことを特徴とする、請求項１に記載のゴルフ用傾斜角度測定装置。
【請求項３】
台座の底に付いている挿し込み脚は尖錐状で地面に挿入し易く、しっかりと固定されることを特徴とする、請求項１に記載のゴルフ用傾斜角度測定装置。
【考案の詳細な説明】
【技術分野】
【０００１】
本考案はゴルフ用傾斜角度測定装置に関するものであり、ゴルフボールの位置からカップまでの傾斜角度を的確に測ることができ、それによりパッティングの判断ができ、ゴルフボールをカップに入れる基準をより正確に定めることができる。
【背景技術】
【０００２】
一般的にゴルフをする際、ボールがグリーンに乗った後、パターを使いボールをカップへ入れるが、その際、適当なパッティングの力配分と的確な傾斜角度の判断が極めて重要である。グリーンは丘状で、一定の起伏がある為、ゴルフボールの位置とカップ間の的確な傾斜角度とパターの力配分が、打数の多少に関わり勝負の鍵となる。今までの判断方式として、通常、プレイヤーはグリーン上のボールとカップまでの傾斜角度を目で観察し、パターを行なっていたが、目だけの観察では的確な傾斜角度を判断することが難しく、ボールをカップに入れる基準を正確に定めることができず、プレイが困難なものになってしまいがちであった。
【特許文献１】特開２００４−３５４３６１号公報
【考案の開示】
【考案が解決しようとする課題】
【０００３】
本考案のゴルフ用傾斜角度測定装置は、目だけでは判断しにくいゴルフボールの位置からカップまでの傾斜角度を的確に測ることができ、それによりパッティングの判断ができ、ゴルフボールをカップに入れる基準をより正確に定めることができる。
【課題を解決するための手段】
【０００４】
本考案のゴルフ用傾斜角度測定装置の主要な目的は、ゴルフボールの位置からカップまでの傾斜角度を的確に測ることができ、それによりパッティングの判断ができ、ゴルフボールをカップに入れる基準をより正確に定めることができることである。
【０００５】
上記の目的を達成する為、本考案のゴルフ用傾斜角度測定装置は、円盤状で中空構造の台座と、台座の底に付いている適当な長さの挿し込み脚からなり、挿し込み脚の先端は開け口が設けられており、円盤状の台座の表面は透明で中が透けて見えるようになっており、挿し込み脚の先端から液体を注ぎ入れ台座を満タンにし、蓋を閉めて密閉すると、液体の中に気泡が形成される構造を持ち、実際にゴルフをする際、地面に差し込み、透明な台座の気泡の位置を確認することで、ゴルフボールの位置からカップまでの傾斜角度を的確に測ることができ、パッティングの判断ができ、ゴルフボールをカップに入れる基準をより正確に定めることが出来る。
【０００６】
また、台座に液体を入れた後、挿し込み脚の先端の開け口を閉じる蓋は球状で、それにより密閉し液体が外に漏れるのを防ぐ。
【０００７】
また、台座の底に付いている挿し込み脚は尖錐状で地面に挿入し易く、挿入後はしっかりと固定される。
【考案の効果】
【０００８】
本考案のゴルフ用傾斜角度測定装置によれば、実際にゴルフをする際、地面に差し込み、透明な台座の気泡２１の位置を確認することで、ゴルフボールの位置からカップまでの傾斜角度を的確に測ることができ、パッティングの判断ができ、ゴルフボールをカップに入れる基準をより正確に定めることが出来る。
【考案を実施するための最良の形態】
【０００９】
図１、図２、に示すように、本考案は、ひとつの円盤状の中空構造の台座１と、その台座１の底に適当な長さの挿し込み脚１１がついており、挿し込み脚１１の先端は尖錐状で、台座１と挿し込み脚１１は中空構造になっており、挿し込み脚１１の先端には開け口１１１が設けられており、台座１の表面は透明で中が透けて見えるクリア版１２になっており、この台座１とクリア板１２が結合されている構造を持つ。
【００１０】
前述の構造を持つ本考案は製作時において、さらに挿し込み脚１１の先端の開け口１１１から液体２を注ぎ入れ台座１を満タンにし、台座１に液体２を入れた後、挿し込み脚１１の先端の開け口１１１に1.5〜2.5ｍｍの球状の蓋３で塞ぎ、さらに超音波による溶接で球状の蓋３をしっかりと溶接させ、開け口１１１を密閉し液体２が外に漏れるのを防ぎ、液体２の表面に気泡２１が形成される。これらを特徴としたゴルフ用傾斜角度測定装置１００は、実際にグリーン上でゴルフをする際、このゴルフ用傾斜角度測定装置１００の挿し込み脚１１を地面に差し込み、台座１のクリア板１２の液体２と気泡２１の位置を確認することで、ゴルフボールの位置からカップまでの傾斜角度を的確に測ることができ、パッティングの判断ができ、プレイヤーにゴルフボールをカップに入れる基準をより正確に定めることを提供する。
【００１１】
同時に図３、図４、図５に示すように、本考案を使用する場合、ボールがグリーンに乗った後、ゴルフボールの位置を確認する際、この傾斜角度測定装置１００の挿し込み脚１１を地面に差し込み、台座１部分を地面にピッタリと貼り付るようにする。グリーンは通常起伏があるため、これにより、傾斜角度測定装置１００は地面に挿さった後、台座１が地面の傾斜状態をとらえ、内部の液体２内の気泡２１の位置は起伏に応じて移動する。
実際の使用例として、台座１が左に傾いている場合（図３、図４）は気泡２１は反対方向である右側に傾く、これにより、プレイヤーは、台座１のクリア板１２の液体２と気泡２１の位置を確認することで、ゴルフボールの位置からカップまでの傾斜角度を的確に測ることができ、プレイヤーにパッティングの正確な角度を提供し、ゴルフボールをカップに入れる基準をより正確に定めることができる。
【００１２】
前述の本考案において、台座１の底に付いている挿し込み脚１１は尖錐状で、地面に挿入し易く、挿入後はしっかりと固定されるため、ぐらつくなどの傾斜角度の誤審を防ぐ。
【図面の簡単な説明】
【００１３】
【図１】本考案のゴルフ用傾斜角度測定装置の斜視図である。
【図２】本考案のゴルフ用傾斜角度測定装置の断面図である。
【図３】本考案の地面に差し込んだ状態で気泡の位置が移動した場合を示す側面図である。
【図４】本考案の地面に差し込んだ状態で気泡の位置が移動した場合を示す断面図である。
【図５】本考案の実際の使用例を示した概略図である。
【符号の説明】
【００１４】
１、台座
１１、挿し込み脚
１１１、開け口
１２、クリア板
２、液体
２１、気泡
【図１】
0003133295.tif 000003
【図２】
0003133295.tif 000004
【図３】
0003133295.tif 000005
【図４】
0003133295.tif 000006
【図５】
0003133295.tif 000007